(57)【要約】【課題】沈降分離槽からの回収量を極力少なくし、環境に配慮し、かつコストの削減が可能である廃液吸排処理方法及び廃液吸排処理システム並びに廃液吸排処理バキューム車を提供することを可能とする。【解決手段】沈降分離槽内の廃液を沈降分離して得られる水と、この水以外の分離物とを混合して吸引回収して貯留し、この貯留状態で沈降分離により得られる水を濾過清浄装置で濾過し、この濾過して得られる清浄水を前記沈降分離槽内に戻すことを特徴とする廃液吸排処理方法。【選択図】図１
2004141851.tif 000002
【特許請求の範囲】
【請求項１】
沈降分離槽内の廃液を沈降分離して得られる水と、この水以外の分離物とを混合して吸引回収して貯留し、この貯留状態で沈降分離により得られる水を濾過清浄装置で濾過し、この濾過して得られる清浄水を前記沈降分離槽内に戻すことを特徴とする廃液吸排処理方法。
【請求項２】
沈降分離槽内の廃液を沈降分離して得られる水と、この水以外の分離物とを混合してバキューム車により吸引回収して貯留し、この貯留状態で沈降分離により得られる水を濾過清浄装置で濾過し、この濾過して得られる清浄水を前記沈降分離槽内に戻すことを特徴とする廃液吸排処理方法。
【請求項３】
沈降分離槽内の廃液を沈降分離して得られる水と、この水以外の分離物とを混合して吸引回収して貯留し、この廃液が回収された前記沈降分離槽内を清掃し、この清掃で生じる液を吸引回収して前記混合された廃液とともに貯留し、この貯留状態で沈降分離により得られる水を濾過清浄装置で濾過し、この濾過して得られる清浄水を前記沈降分離槽内に戻すことを特徴とする廃液吸排処理方法。
【請求項４】
沈降分離槽内の廃液を沈降分離して得られる水と、この水以外の分離物とを混合してバキューム車により吸引回収して貯留し、この廃液が回収された前記沈降分離槽内を清掃し、この清掃で生じる液を前記バキューム車により吸引回収して前記混合された廃液とともに貯留し、この貯留状態で沈降分離により得られる水を濾過清浄装置で濾過し、この濾過して得られる清浄水を前記沈降分離槽内に戻すことを特徴とする廃液吸排処理方法。
【請求項５】
沈降分離槽内の廃液を沈降分離して得られる水と、この水以外の分離物とを別々に吸引回収して貯留し、この貯留される水を濾過清浄装置で濾過し、この濾過して得られる清浄水を前記沈降分離槽内に戻すことを特徴とする廃液吸排処理方法。
【請求項６】
沈降分離槽内の廃液を沈降分離して得られる水と、この水以外の分離物とを別々にバキューム車により吸引回収して貯留し、この貯留される水を濾過清浄装置で濾過し、この濾過して得られる清浄水を前記沈降分離槽内に戻すことを特徴とする廃液吸排処理方法。
【請求項７】
沈降分離槽内の廃液を沈降分離して得られる水と、この水以外の分離物とを別々に吸引回収して貯留し、この廃液が回収された前記沈降分離槽内を清掃し、この清掃で生じる液を前記バキューム車により吸引回収して前記水とともに貯留し、この貯留される水を濾過清浄装置で濾過し、この濾過して得られる清浄水を前記沈降分離槽内に戻すことを特徴とする廃液吸排処理方法。
【請求項８】
沈降分離槽内の廃液を沈降分離して得られる水と、この水以外の分離物とを別々にバキューム車により吸引回収して貯留し、この廃液が回収された前記沈降分離槽内を清掃し、この清掃で生じる液を前記バキューム車により吸引回収して前記水とともに貯留し、この貯留される水を濾過清浄装置で濾過し、この濾過して得られる清浄水を前記沈降分離槽内に戻すことを特徴とする廃液吸排処理方法。
【請求項９】
前記濾過清浄装置の後段に、濾過材を充填した排水パイプを備え、前記濾過材により分離物を除去して清浄水を前記沈降分離槽内に戻すことを特徴とする請求項１乃至請求項８のいずれか１項に記載の廃液吸排処理方法。
【請求項１０】
沈降分離槽内の廃液を沈降分離して得られる水と、この水以外の分離物とを混合して吸引回収して貯留するバキューム車と、このバキューム車の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理システム。
【請求項１１】
沈降分離槽内の廃液を沈降分離して得られる水と、この水以外の分離物とを混合して吸引回収して貯留し、この廃液が回収された前記沈降分離槽内を清掃して生じる液を吸引回収して前記混合された廃液とともに貯留するバキューム車と、このバキューム車の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理システム。
【請求項１２】
沈降分離槽内の廃液を沈降分離して得られる水と、この水以外の分離物とを別々に吸引回収して貯留するバキューム車と、このバキューム車に貯留される水を濾過する濾過清浄装置とを備え、
この濾過清浄装置で濾過して得られる清浄水を前記清掃された沈降分離槽内に戻すことを特徴とする廃液吸排処理システム。
【請求項１３】
沈降分離槽内の廃液を沈降分離して得られる水と、この水以外の分離物とを別々に吸引回収して貯留し、この廃液が回収された前記沈降分離槽内を清掃して生じる液を吸引回収して前記水とともに貯留するバキューム車と、このバキューム車に貯留される水を濾過する濾過清浄装置とを備え、
この濾過清浄装置で濾過して得られる清浄水を前記清掃された沈降分離槽内に戻すことを特徴とする廃液吸排処理システム。
【請求項１４】
前記バキューム車に前記濾過清浄装置を備えることを特徴とする請求項１０乃至請求項１３のいずれか１項に記載の廃液吸排処理システム。
【請求項１５】
前記バキューム車と前記濾過清浄装置とは、別体であることを特徴とする請求項１０乃至請求項１３のいずれか１項に記載の廃液吸排処理システム。
【請求項１６】
前記濾過清浄装置の後段に、分離物を除去する濾過材を充填した排水パイプを備えることを特徴とする請求項１０乃至請求項１５のいずれか１項に記載の廃液吸排処理システム。
【請求項１７】
沈降分離槽内の廃液を沈降分離して得られる水と、この水以外の分離物とを混合して吸引回収して貯留する貯留槽と、この貯留槽の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理バキューム車。
【請求項１８】
沈降分離槽内の廃液を沈降分離して得られる水と、この水以外の分離物とを混合して吸引回収して貯留し、この廃液が回収された前記沈降分離槽内を清掃して生じる液を吸引回収して前記混合された廃液とともに貯留する貯留槽と、この貯留槽の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理バキューム車。
【請求項１９】
沈降分離槽内の廃液を沈降分離して得られる水を吸引回収して貯留する第１の貯留槽と、この水以外の分離物を吸引回収して貯留する第２の貯留槽と、前記第１の貯留槽に貯留される水を濾過する濾過清浄装置とを備え、
この濾過清浄装置で濾過して得られる清浄水を前記清掃された沈降分離槽内に戻すことを特徴とする廃液吸排処理バキューム車。
【請求項２０】
沈降分離槽内の廃液を沈降分離して得られる水と、前記沈降分離槽内を清掃して生じる液を吸引回収して貯留する第１の貯留槽と、この水以外の分離物を吸引回収して貯留する第２の貯留槽と、前記第１の貯留槽に貯留される水を濾過する濾過清浄装置とを備え、
この濾過清浄装置で濾過して得られる清浄水を前記清掃された沈降分離槽内に戻すことを特徴とする廃液吸排処理バキューム車。
【請求項２１】
前記バキューム車に前記濾過清浄装置を備えることを特徴とする請求項１７乃至請求項２０のいずれか１項に記載の廃液吸排処理バキューム車。
【請求項２２】
前記バキューム車と前記濾過清浄装置とは、別体であることを特徴とする請求項１７乃至請求項２０のいずれか１項に記載の廃液吸排処理バキューム車。
【請求項２３】
前記濾過清浄装置の前段に、分離物を除去する濾過材を充填した排水パイプを備えることを特徴とする請求項１７乃至請求項２２のいずれか１項に記載の廃液吸排処理バキューム車。
【発明の詳細な説明】
【０００１】
【発明の属する技術分野】
この発明は、廃液吸排処理方法及び廃液吸排処理システム並びに廃液吸排処理バキューム車に関する。
【０００２】
【従来の技術】
例えば、ガソリンスタンドや車両の整備工場等には、沈降分離槽を備え、この沈降分離槽に洗車や整備等によって生じる廃液を貯留し、この貯留状態で廃液を下側より汚泥、水、油に理沈降分離させて水のみを排水している。
【０００３】
この沈降分離槽に溜る汚泥や油等の量が多くなると、分離される水の精度が低下して廃水基準を満たさなくなるので、例えばバキューム車等によって回収して廃棄されている。
【０００４】
【発明が解決しようとする課題】
このように、バキューム車等によって回収して廃棄されているが、沈降分離槽内に貯留する汚泥、水、油等全てを吸引回収しており、回収量が多く、またその分コストが嵩む等の問題がある。
【０００５】
この発明は、かかる実情に鑑みてなされたもので、沈降分離槽からの回収量を極力少なくし、環境に配慮し、かつコストの削減が可能である廃液吸排処理方法及び廃液吸排処理システム並びに廃液吸排処理バキューム車を提供することを目的としている。
【０００６】
【課題を解決するための手段】
前記課題を解決し、かつ目的を達成するために、この発明は、以下のように構成した。
【０００７】
請求項１に記載の発明は、沈降分離槽内の廃液を沈降分離して得られる水と、この水以外の分離物とを混合して吸引回収して貯留し、この貯留状態で沈降分離により得られる水を濾過清浄装置で濾過し、この濾過して得られる清浄水を前記沈降分離槽内に戻すことを特徴とする廃液吸排処理方法である。
【０００８】
この請求項１に記載の発明によれば、沈降分離槽内の廃液を沈降分離して得られる水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【０００９】
請求項２に記載の発明は、沈降分離槽内の廃液を沈降分離して得られる水と、この水以外の分離物とを混合してバキューム車により吸引回収して貯留し、この貯留状態で沈降分離により得られる水を濾過清浄装置で濾過し、この濾過して得られる清浄水を前記沈降分離槽内に戻すことを特徴とする廃液吸排処理方法である。
【００１０】
この請求項２に記載の発明によれば、バキューム車により沈降分離槽内の水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００１１】
請求項３に記載の発明は、沈降分離槽内の廃液を沈降分離して得られる水と、この水以外の分離物とを混合して吸引回収して貯留し、この廃液が回収された前記沈降分離槽内を清掃し、この清掃で生じる液を吸引回収して前記混合された廃液とともに貯留し、この貯留状態で沈降分離により得られる水を濾過清浄装置で濾過し、この濾過して得られる清浄水を前記沈降分離槽内に戻すことを特徴とする廃液吸排処理方法である。
【００１２】
この請求項３に記載の発明によれば、沈降分離槽内の廃液を沈降分離して得られる水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００１３】
請求項４に記載の発明は、沈降分離槽内の廃液を沈降分離して得られる水と、この水以外の分離物とを混合してバキューム車により吸引回収して貯留し、この廃液が回収された前記沈降分離槽内を清掃し、この清掃で生じる液を前記バキューム車により吸引回収して前記混合された廃液とともに貯留し、この貯留状態で沈降分離により得られる水を濾過清浄装置で濾過し、この濾過して得られる清浄水を前記沈降分離槽内に戻すことを特徴とする廃液吸排処理方法である。
【００１４】
この請求項４に記載の発明によれば、バキューム車により水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００１５】
請求項５に記載の発明は、沈降分離槽内の廃液を沈降分離して得られる水と、この水以外の分離物とを別々に吸引回収して貯留し、この貯留される水を濾過清浄装置で濾過し、この濾過して得られる清浄水を前記沈降分離槽内に戻すことを特徴とする廃液吸排処理方法である。
【００１６】
この請求項５に記載の発明によれば、沈降分離槽内の廃液を沈降分離して得られる水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００１７】
請求項６に記載の発明は、沈降分離槽内の廃液を沈降分離して得られる水と、この水以外の分離物とを別々にバキューム車により吸引回収して貯留し、この貯留される水を濾過清浄装置で濾過し、この濾過して得られる清浄水を前記沈降分離槽内に戻すことを特徴とする廃液吸排処理方法である。
【００１８】
この請求項６に記載の発明によれば、バキューム車により水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００１９】
請求項７に記載の発明は、沈降分離槽内の廃液を沈降分離して得られる水と、この水以外の分離物とを別々に吸引回収して貯留し、この廃液が回収された前記沈降分離槽内を清掃し、この清掃で生じる液を前記バキューム車により吸引回収して前記水とともに貯留し、この貯留される水を濾過清浄装置で濾過し、この濾過して得られる清浄水を前記沈降分離槽内に戻すことを特徴とする廃液吸排処理方法である。
【００２０】
この請求項７に記載の発明によれば、沈降分離槽内の廃液を沈降分離して得られる水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００２１】
請求項８に記載の発明は、沈降分離槽内の廃液を沈降分離して得られる水と、この水以外の分離物とを別々にバキューム車により吸引回収して貯留し、この廃液が回収された前記沈降分離槽内を清掃し、この清掃で生じる液を前記バキューム車により吸引回収して前記水とともに貯留し、この貯留される水を濾過清浄装置で濾過し、この濾過して得られる清浄水を前記沈降分離槽内に戻すことを特徴とする廃液吸排処理方法である。
【００２２】
この請求項８に記載の発明によれば、バキューム車により水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００２３】
請求項９に記載の発明は、前記濾過清浄装置の後段に、濾過材を充填した排水パイプを備え、前記濾過材により分離物を除去して清浄水を前記沈降分離槽内に戻すことを特徴とする請求項１乃至請求項８のいずれか１項に記載の廃液吸排処理方法である。
【００２４】
この請求項９に記載の発明によれば、濾過清浄装置の後段で、排水パイプの濾過材により分離物を除去し、水をさらに奇麗な清浄水として沈降分離槽内に戻すことで、沈降分離槽を清掃し、しかも沈降分離槽からの回収量を極力少なくし、環境に配慮し、かつコストの削減が可能である。
【００２５】
請求項１０に記載の発明は、沈降分離槽内の廃液を沈降分離して得られる水と、この水以外の分離物とを混合して吸引回収して貯留するバキューム車と、このバキューム車の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理システムである。
【００２６】
この請求項１０に記載の発明によれば、バキューム車により水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００２７】
請求項１１に記載の発明は、沈降分離槽内の廃液を沈降分離して得られる水と、この水以外の分離物とを混合して吸引回収して貯留し、この廃液が回収された前記沈降分離槽内を清掃して生じる液を吸引回収して前記混合された廃液とともに貯留するバキューム車と、このバキューム車の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理システムである。
【００２８】
この請求項１１に記載の発明によれば、バキューム車により水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００２９】
請求項１２に記載の発明は、沈降分離槽内の廃液を沈降分離して得られる水と、この水以外の分離物とを別々に吸引回収して貯留するバキューム車と、このバキューム車に貯留される水を濾過する濾過清浄装置とを備え、
この濾過清浄装置で濾過して得られる清浄水を前記清掃された沈降分離槽内に戻すことを特徴とする廃液吸排処理システムである。
【００３０】
この請求項１２に記載の発明によれば、沈降分離槽内の廃液を沈降分離して得られる水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００３１】
請求項１３に記載の発明は、沈降分離槽内の廃液を沈降分離して得られる水と、この水以外の分離物とを別々に吸引回収して貯留し、この廃液が回収された前記沈降分離槽内を清掃して生じる液を吸引回収して前記水とともに貯留するバキューム車と、このバキューム車に貯留される水を濾過する濾過清浄装置とを備え、
この濾過清浄装置で濾過して得られる清浄水を前記清掃された沈降分離槽内に戻すことを特徴とする廃液吸排処理システムである。
【００３２】
この請求項１３に記載の発明によれば、バキューム車により水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００３３】
請求項１４に記載の発明は、前記バキューム車に前記濾過清浄装置を備えることを特徴とする請求項１０乃至請求項１３のいずれか１項に記載の廃液吸排処理システムである。
【００３４】
この請求項１４に記載の発明によれば、バキューム車に濾過清浄装置を備えることで、配管の接続作業等を省略することができ、迅速かつ能率的な作業を行なうことができる。
【００３５】
請求項１５に記載の発明は、前記バキューム車と前記濾過清浄装置とは、別体であることを特徴とする請求項１０乃至請求項１３のいずれか１項に記載の廃液吸排処理システムである。
【００３６】
この請求項１５に記載の発明によれば、バキューム車と濾過清浄装置とは、別体であることで、バキューム車等に応じた能力の濾過清浄装置を用いることができ、迅速かつ能率的な作業を行なうことができる。
【００３７】
請求項１６に記載の発明は、前記濾過清浄装置の後段に、分離物を除去する濾過材を充填した排水パイプを備えることを特徴とする請求項１０乃至請求項１５のいずれか１項に記載の廃液吸排処理システムである。
【００３８】
この請求項１６に記載の発明によれば、濾過清浄装置の後段で、排水パイプの濾過材により分離物を除去し、水をさらに奇麗な清浄水として沈降分離槽内に戻すことで、沈降分離槽を清掃し、しかも沈降分離槽からの回収量を極力少なくし、環境に配慮し、かつコストの削減が可能である。
【００３９】
請求項１７に記載の発明は、沈降分離槽内の廃液を沈降分離して得られる水と、この水以外の分離物とを混合して吸引回収して貯留する貯留槽と、この貯留槽の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理バキューム車である。
【００４０】
この請求項１７に記載の発明によれば、バキューム車を用い、沈降分離槽内の廃液を沈降分離して得られる水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００４１】
請求項１８に記載の発明は、沈降分離槽内の廃液を沈降分離して得られる水と、この水以外の分離物とを混合して吸引回収して貯留し、この廃液が回収された前記沈降分離槽内を清掃して生じる液を吸引回収して前記混合された廃液とともに貯留する貯留槽と、この貯留槽の貯留状態で沈降分離により得られる水を濾過する濾過清浄装置とを備え、
この濾過清浄装置で濾過して得られる清浄水を前記清掃された沈降分離槽内に戻すことを特徴とする廃液吸排処理バキューム車である。
【００４２】
この請求項１８に記載の発明によれば、バキューム車を用い、水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００４３】
請求項１９に記載の発明は、沈降分離槽内の廃液を沈降分離して得られる水を吸引回収して貯留する第１の貯留槽と、この水以外の分離物を吸引回収して貯留する第２の貯留槽と、前記第１の貯留槽に貯留される水を濾過する濾過清浄装置とを備え、この濾過清浄装置で濾過して得られる清浄水を前記清掃された沈降分離槽内に戻すことを特徴とする廃液吸排処理バキューム車である。
【００４４】
この請求項１９に記載の発明によれば、バキューム車を用い、水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００４５】
請求項２０に記載の発明は、沈降分離槽内の廃液を沈降分離して得られる水と、前記沈降分離槽内を清掃して生じる液を吸引回収して貯留する第１の貯留槽と、この水以外の分離物を吸引回収して貯留する第２の貯留槽と、前記第１の貯留槽に貯留される水を濾過する濾過清浄装置とを備え、
この濾過清浄装置で濾過して得られる清浄水を前記清掃された沈降分離槽内に戻すことを特徴とする廃液吸排処理バキューム車である。
【００４６】
この請求項２０に記載の発明によれば、バキューム車を用い、水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００４７】
請求項２１に記載の発明は、前記バキューム車に前記濾過清浄装置を備えることを特徴とする請求項１７乃至請求項２０のいずれか１項に記載の廃液吸排処理バキューム車である。
【００４８】
この請求項２１に記載の発明によれば、バキューム車に濾過清浄装置を備えることで、配管の接続作業等を省略することができ、迅速かつ能率的な作業を行なうことができる。
【００４９】
請求項２２に記載の発明は、前記バキューム車と前記濾過清浄装置とは、別体であることを特徴とする請求項１７乃至請求項２０のいずれか１項に記載の廃液吸排処理バキューム車である。
【００５０】
この請求項２２に記載の発明によれば、バキューム車と濾過清浄装置とは、別体であることで、バキューム車等に応じた能力の濾過清浄装置を用いることができ、迅速かつ能率的な作業を行なうことができる。
【００５１】
請求項２３に記載の発明は、前記濾過清浄装置の後段に、分離物を除去する濾過材を充填した給排水パイプを着脱可能に備えることを特徴とする請求項１７乃至請求項２２のいずれか１項に記載の廃液吸排処理バキューム車である。
【００５２】
この請求項２３に記載の発明によれば、濾過清浄装置の後段で、排水パイプの濾過材により分離物を除去し、水をさらに奇麗な清浄水として沈降分離槽内に戻すことで、沈降分離槽を清掃し、しかも沈降分離槽からの回収量を極力少なくし、環境に配慮し、かつコストの削減が可能である。
【００５３】
【発明の実施の形態】
以下、この発明の廃液吸排処理方法及び廃液吸排処理システム並びに廃液吸排処理バキューム車の実施の形態を、図面に基づいて説明するが、この発明は、この実施の形態に限定されない。
【００５４】
図１は廃液吸排処理方法及び廃液吸排処理システム並びに廃液吸排処理バキューム車の第１の実施の形態を示す概略図、図２は濾過清浄装置の概略図、図３は廃液吸排処理のフローを示す図である。
【００５５】
この第１の実施の形態は、事業所等に設置されている沈降分離槽の定期的又不定期に実施する槽内に溜まった浮上物（主として油分）・沈殿物（主として汚泥）の除去清掃時に使用するものである。例えば、ガソリンスタンドや車両の整備工場等には、沈降分離槽１が備えられ、この沈降分離槽１に洗車や整備等によって生じる例えば汚水等の廃液を貯留する。この沈降分離槽１の貯留状態では、廃液を下側より汚泥１０、水１１、油１２に沈降分離させ、排出管１３から水１１のみを排水している。
【００５６】
この沈降分離槽１は、複数個配置されているが、それぞれの沈降分離槽１に溜る汚泥１０や油１２等の量が多くなると、分離される水１１の精度が低下して廃水基準を満たさなくなるので、バキューム車２によって回収して廃棄されている。
【００５７】
この実施の形態のバキューム車２には、貯留槽２０と濾過清浄装置２１とが備えられている。濾過清浄装置２１は、運転部２８と貯留槽２０との間の空間２９に配置されているが、これに限定されず、任意の位置に装着することができる。
【００５８】
このバキューム車２の貯留槽２０には吸入管２２が接続され、この吸入管２２には切換弁Ｖ１が配置され、吸引回収時に配管２３を切換弁Ｖ１に接続し、この配管２３によって沈降分離槽１と接続される。
【００５９】
バキューム車２によって回収して廃棄する時には、切換弁Ｖ１を回収側に操作することで、バキューム車２の駆動により沈降分離槽１内の廃液を沈降分離して得られる水１１と、この水１１以外の分離物である汚泥１０と油１２とを混合し、配管２３、吸入管２２を介して吸引回収して貯留槽２０内に貯留する。
【００６０】
バキューム車２によって回収した水を戻す時には、貯留槽２０内に水１１と汚泥１０と油１２とが混合して吸引回収されるが、貯留状態で沈降分離により水１１が得られ、この水１１は配管２４を介して濾過清浄装置２１に導かれる。この濾過清浄装置２１で濾過して得られる清浄水３０は、切換弁Ｖ１を戻し側に操作することで、配管２５、切換弁Ｖ１を介して配管２３に導かれ、この配管２３によって沈降分離槽１内に戻される。
【００６１】
濾過清浄装置２１は、図２に示すように、上下に３層構造に形成され、それぞれの層は水の流れる方向に砂利２１ａ、濾過材２１ｂ、活性炭２１ｃからなっている。各槽は、鉄板２１ｄによって区画されているが、上層の活性炭２１ｃから下層の砂利２１ａとの間は網２１ｅが設けられている。水１１が上層の砂利２１ａ、濾過材２１ｂ、活性炭２１ｃを流れて一次濾過され、次に中層の砂利２１ａ、濾過材２１ｂ、活性炭２１ｃを流れて二次濾過され、さらに下層の砂利２１ａ、濾過材２１ｂ、活性炭２１ｃを流れて三次濾過されて清浄水３０が得られる。
【００６２】
この実施の形態では、上下に３層構造に形成されているが、これに限定されず、水質等に応じて１層でもよいし、２層でもよく、さらに３層以上でもよい。
【００６３】
また、層の構成も砂利２１ａ、濾過材２１ｂ、活性炭２１ｃに限定されず、水質等に応じて砂利２１ａの大きさを変えたり、複数層の砂利にしたり、濾過材２１ｂの材質を変えたり、あるいは活性炭２１ｃの種類を変えたり、複数層の活性炭等に変更することができる。
【００６４】
この実施の形態では、バキューム車２に濾過清浄装置２１を備えることで、配管の接続作業等を省略することができ、迅速かつ能率的な作業を行なうことができるが、これに限定されず、図４に示すように、バキューム車２と濾過清浄装置２１とは、別体にしてもよい。
【００６５】
バキューム車２と濾過清浄装置２１とが別体であるときには、回収作業時に濾過清浄装置２１を配管２４により貯留槽２０と接続し、配管２５により切換弁Ｖ１に接続し、この切換弁Ｖ１により配管２３を介して沈降分離槽１と接続し、バキューム車２等に応じた能力の濾過清浄装置２１を用いることができ、迅速かつ能率的な作業を行なうことができる。
【００６６】
このように、沈降分離槽１内の廃液を沈降分離して得られる水１１と、この水１１以外の分離物である汚泥１０と油１２とを混合してバキューム車２により吸引回収して貯留槽２０に貯留し、この貯留状態で沈降分離により得られる水１１を濾過清浄装置２１で濾過して得られる清浄水３０として沈降分離槽１内に戻すことで、沈降分離槽１からの回収量を極力少なくし、環境に配慮し、かつコストの削減が可能である。
【００６７】
また、この実施の形態では、沈降分離槽１内の廃液を沈降分離して得られる水１１と、この水１１以外の分離物である汚泥１０と油１２とを混合して貯留槽２０に吸引回収して貯留し、この貯留状態で沈降分離により得られる水１１を濾過して得られる清浄水３０として沈降分離槽１内に戻すが、これに限定されない。
【００６８】
沈降分離槽１内の廃液を沈降分離して得られる水１１と、この水１１以外の分離物である汚泥１０と油１２とを混合して貯留槽２０に吸引回収して貯留し、この廃液が回収された沈降分離槽１内を清掃し、この清掃によって生じる液を貯留槽２０に配管２３により吸引回収して混合された廃液とともに貯留する。
【００６９】
この実施の形態では、沈降分離槽１内の清掃を行ない、この清掃が終了すると、貯留槽２０の貯留状態で沈降分離により得られる水１１を濾過清浄装置２１により濾過して得られる清浄水３０として沈降分離槽１内に戻すことで、沈降分離槽１が奇麗に清掃され、しかも沈降分離槽１からの回収量を極力少なくし、環境に配慮し、かつコストの削減が可能である。
【００７０】
図５は廃液吸排処理方法及び廃液吸排処理システム並びに廃液吸排処理バキューム車の第２の実施の形態を示す概略図でる。
【００７１】
この第２の実施の形態では、バキューム車２に、第１の貯留槽２０ａと、第２の貯留槽２０ｂと濾過清浄装置２１とが備えられている。濾過清浄装置２１は、運転部２８と貯留槽２０との間の空間２９に配置されているが、これに限定されないで任意の箇所に装着することができる。
【００７２】
このバキューム車２の第１の貯留槽２０ａには、吸入管２２ａを備え、第２の貯留槽２０ｂには、吸入管２２ｂを備えている。第２の貯留槽２０ｂの吸入管２２ｂには、切換弁Ｖ１と切換弁Ｖ２とが配置され、切換弁Ｖ１は配管２５を介して濾過清浄装置２１と接続され、切換弁Ｖ２は吸入管２２ａと接続されている。
【００７３】
バキューム車２によって回収して廃棄する時には、まず、配管２３を切換弁Ｖ１に接続して切換弁Ｖ１を回収側に操作し、切換弁Ｖ２を第２の貯留槽２０ｂ側に操作し、バキューム車２の駆動により沈降分離槽１内の廃液を沈降分離して得られる水１１以外の分離物である油１２を吸引回収し、吸入管２２ｂを介して第２の貯留槽２０ｂ内に貯留する。
【００７４】
そして、切換弁Ｖ２を第１の貯留槽２０ａ側に操作し、バキューム車２の駆動により沈降分離槽１内の廃液を沈降分離して得られる水１１を吸引回収し、吸入管２２ａを介して第１の貯留槽２０ａ内に貯留する。
【００７５】
そして、切換弁Ｖ２を第２の貯留槽２０ｂ側に操作し、バキューム車２の駆動により沈降分離槽１内の廃液を沈降分離して得られる水１１以外の分離物である汚泥１０を吸引回収し、吸入管２２ｂを介して第２の貯留槽２０ｂ内に貯留する。
【００７６】
バキューム車２によって回収した水を戻す時には、第１の貯留槽２０ａ内に貯留する水１１は配管２４を介して濾過清浄装置２１に導かれる。この濾過清浄装置２１で濾過して得られる清浄水３０は、切換弁Ｖ１を戻し側に操作することで、配管２５、切換弁Ｖ１を介して配管２３に導かれ、この配管２３によって沈降分離槽１内に戻される。
【００７７】
また、バキューム車２によって回収した水を戻す時に、切換弁Ｖ１及び切換弁Ｖ２を循環側に切り換えて、濾過清浄装置２１で濾過した清浄水３０を第１の貯留槽２０ａに戻して１回または複数回循環させ、切換弁Ｖ１を戻し側に切り換えて沈降分離槽１内に戻すようにしてもよく、濾過清浄装置２１で複数回濾過することでさらに奇麗な清浄水３０として戻すことができる。
【００７８】
また、バキューム車２によって沈降分離槽１内に戻した水を再度第１の貯留槽２０ａ内に回収し、配管２４を介して濾過清浄装置２１に導き、濾過清浄装置２１でさらに濾過して配管２３によって沈降分離槽１内に戻すようにしてもよい。
【００７９】
また、第２の貯留槽２０ｂには、水１１以外の分離物である油１２や汚泥１０が回収されるが、この油１２や汚泥１０に含まれる水を分離し、第２の貯留槽２０ｂから第１の貯留槽２０ａ内に送るようにしてもよく、この場合さらに水を分離した油１２や汚泥１０を回収することができる。
【００８０】
この実施の形態では、バキューム車２に濾過清浄装置２１を備えることで、配管の接続作業等を省略することができ、迅速かつ能率的な作業を行なうことができるが、これに限定されず、図６に示すように、バキューム車２と濾過清浄装置２１とは、別体にしてもよい。
【００８１】
バキューム車２と濾過清浄装置２１とが別体であるときには、回収作業時に濾過清浄装置２１を配管２４により第１の貯留槽２０ａと接続し、配管２５により切換弁Ｖ１と接続し、バキューム車２等に応じた能力の濾過清浄装置２１を用いることができ、迅速かつ能率的な作業を行なうことができる。
【００８２】
このように、沈降分離槽１内の廃液を沈降分離して得られる水１１を第１の貯留槽２０ａに、この水１１以外の分離物である汚泥１０と油１２とを第２の貯留槽２０ｂ内に別々に吸引回収して貯留する。第１の貯留槽２０ａに貯留する水を濾過清浄装置２１により濾過して得られる清浄水３０として沈降分離槽１内に戻すことで、沈降分離槽１からの回収量を極力少なくし、環境に配慮し、かつコストの削減が可能である。
【００８３】
また、この実施の形態に限定されず、図６に示すように、沈降分離槽１内の廃液が回収された沈降分離槽１内を清掃し、切換弁Ｖ１を戻し側に操作し、切換弁Ｖ２を第１の貯留槽２０ａ側に操作することで、清掃によって生じる液を第１の貯留槽２０ａに配管２３を介して吸引回収する。
【００８４】
沈降分離槽１内の清掃が終了し、バキューム車２によって回収した水を戻す時には、切換弁Ｖ１を戻し側に操作することで、第１の貯留槽２０ａに貯留する水１１を濾過清浄装置２１により濾過して得られる清浄水３０として、配管２５、切換弁Ｖ１を介して配管２３に導かれ、この配管２３によって沈降分離槽１内に戻すことで、沈降分離槽１が奇麗に清掃され、しかも沈降分離槽１からの回収量を極力少なくし、環境に配慮し、かつコストの削減が可能である。
【００８５】
この実施の形態では、バキューム車２によって回収して廃棄し、あるいはバキューム車２によって回収した水を戻すように構成しているが、バキューム車２を用いないで回収して廃棄し、あるいは回収した水を戻すように構成してもよい。
【００８６】
この実施の形態では、図７乃至図１０に示すように、バキューム車２によって回収した水を戻す濾過清浄装置２１の後段に、排水パイプ５０を備えることができる。この排水パイプ５０は、アルミニウムの円筒部５１の内部に、濾過材５２を詰めた包装体５３が充填されている。濾過材５２として、イオン交換樹脂が好ましく用いられる。また、包装体５３として、ポリプロピレン等の樹脂製のネットまたは布製の袋が用いられる。
【００８７】
円筒部５１の一方には、接続金具５４が設けられ、他方には開閉保護板５５が設けられている。この排水パイプ５０は接続金具５４が、バキューム車２によって回収した水を戻す時に使用する配管２３のホース終端部に接続され、開閉保護板５５側から沈降分離槽１に戻される。
【００８８】
接続金具５４の内側の位置には、図８及び図９に示すように、固定保護板５６が配置され、この固定保護板５６は、鋼板製のパンチングプレートが用いられている。
【００８９】
また、開閉保護板５５は、図８及び図１０に示すように、ヒンジ５７を支点に円筒部５１に開閉可能に設けられている。この開閉保護板５５は、鋼板製のパンチングプレートが用いられ、この開閉保護板５５を開くことで、円筒部５１の内部に濾過材５２を容易に詰めたり、交換することができ、濾過材５２は７〜８袋挿入できる小袋としている。また、円筒部５１には取っ手５８が設けられ、取っ手５８によって持ち運び可能になっている。
【００９０】
バキューム車２によって沈降分離槽１に貯留している浮上物を吸引するときには、配管２３のホース終端部から排水パイプ５０を外した状態で吸引し、その後中間の不純物が比較的少量の水を吸引し、最後に沈殿物を吸い上げて沈降分離槽１の清掃を開始する。このときバキューム車２はタンク２槽を設置しているので、中間の不純物が比較的少量の水（前タンクに貯留）と浮上物・沈殿物が多量に混合している水（後タンクに貯留）とは、別槽に区分貯留する。
【００９１】
このように、清掃中に吸引した浮上物・沈殿物・中間の不純物が比較的少量の水は、バキューム車２のタンク内で沈降浮上し３つの層に分離している。
【００９２】
清掃の完了した沈降分離槽１に、バキューム車２のタンク内の別槽に区分貯留した不純物が比較的少量の水を戻す。この戻す時に、配管２３のホース終端部に排水パイプ５０を接続する。このように、バキューム車２の前タンクからの中間水戻し工程で、給排水パイプ５０を使い戻し水に混入してくる浮上物・沈殿物を除去し、より清浄な戻し水とする。また、排水パイプ５０を通して沈降分離槽１に戻すことで、戻しが不可能であったバキューム車２の後ろタンクからも、沈降分離槽１に戻すことが可能となる。
【００９３】
【発明の効果】
前記したように、請求項１に記載の発明では、沈降分離槽内の廃液を沈降分離して得られる水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００９４】
請求項２に記載の発明では、バキューム車により沈降分離槽内の水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００９５】
請求項３に記載の発明では、沈降分離槽内の廃液を沈降分離して得られる水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００９６】
請求項４に記載の発明では、バキューム車により水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００９７】
請求項５に記載の発明では、沈降分離槽内の廃液を沈降分離して得られる水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【００９８】
請求項６に記載の発明では、バキューム車により水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【００９９】
請求項７に記載の発明では、沈降分離槽内の廃液を沈降分離して得られる水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【０１００】
請求項８に記載の発明では、バキューム車により水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【０１０１】
請求項９に記載の発明では、濾過清浄装置の後段で、濾過材により分離物を除去し、水をさらに奇麗な清浄水として沈降分離槽内に戻すことで、沈降分離槽を清掃し、しかも沈降分離槽からの回収量を極力少なくし、環境に配慮し、かつコストの削減が可能である。
【０１０２】
請求項１０に記載の発明では、バキューム車により水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【０１０３】
請求項１１に記載の発明では、バキューム車により水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【０１０４】
請求項１２に記載の発明では、沈降分離槽内の廃液を沈降分離して得られる水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【０１０５】
請求項１３に記載の発明では、バキューム車により水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【０１０６】
請求項１４に記載の発明では、バキューム車に濾過清浄装置を備えることで、配管の接続作業等を省略することができ、迅速かつ能率的な作業を行なうことができる。
【０１０７】
請求項１５に記載の発明では、バキューム車と濾過清浄装置とは、別体であることで、バキューム車等に応じた能力の濾過清浄装置を用いることができ、迅速かつ能率的な作業を行なうことができる。
【０１０８】
請求項１６に記載の発明では、濾過清浄装置の後段で、濾過材により分離物を除去し、水をさらに奇麗な清浄水として沈降分離槽内に戻すことで、沈降分離槽を清掃し、しかも沈降分離槽からの回収量を極力少なくし、環境に配慮し、かつコストの削減が可能である。
【０１０９】
請求項１７に記載の発明では、バキューム車を用い、沈降分離槽内の廃液を沈降分離して得られる水と、この水以外の分離物とを混合して吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【０１１０】
請求項１８に記載の発明では、バキューム車を用い、水と、この水以外の分離物とを混合して吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【０１１１】
請求項１９に記載の発明では、バキューム車を用い、水と、この水以外の分離物とを別々に吸引回収して貯留し、この貯留状態で沈降分離により得られる水を濾過して得られる清浄水として沈降分離槽内に戻すことで、沈降分離槽からの回収量を極力少なくし、環境に配慮し、かつコストの削減が可能である。
【０１１２】
請求項２０に記載の発明では、バキューム車を用い、水と、この水以外の分離物とを別々に吸引回収して貯留し、さらに沈降分離槽内の清掃で生じる液を混合された廃液とともに貯留し、この貯留状態で沈降分離により得られる水を濾過して得られる清浄水として沈降分離槽内に戻すことで、沈降分離槽を清掃し、しかも沈降分離槽からの回収量を極力少なくし、環境に配慮し、かつコストの削減が可能である。
【０１１３】
請求項２１に記載の発明では、バキューム車に濾過清浄装置を備えることで、配管の接続作業等を省略することができ、迅速かつ能率的な作業を行なうことができる。
【０１１４】
請求項２２に記載の発明では、バキューム車と濾過清浄装置とは、別体であることで、バキューム車等に応じた能力の濾過清浄装置を用いることができ、迅速かつ能率的な作業を行なうことができる。
【０１１５】
請求項２３に記載の発明では、濾過清浄装置の後段で、濾過材により分離物を除去し、水をさらに奇麗な清浄水として沈降分離槽内に戻すことで、沈降分離槽を清掃し、しかも沈降分離槽からの回収量を極力少なくし、環境に配慮し、かつコストの削減が可能である。
【図面の簡単な説明】
【図１】廃液吸排処理方法及び廃液吸排処理システム並びに廃液吸排処理バキューム車の第１の実施の形態を示す概略図である。
【図２】濾過清浄装置の概略図である。
【図３】廃液吸排処理のフローを示す図である。
【図４】バキューム車と濾過清浄装置とを別体にする実施の形態を示す図である。
【図５】廃液吸排処理方法及び廃液吸排処理システム並びに廃液吸排処理バキューム車の第２の実施の形態を示す概略図でる。
【図６】バキューム車と濾過清浄装置とを別体にする実施の形態を示す図である。
【図７】濾過清浄装置の前段に給排水パイプを備える実施の形態を示す図である。
【図８】給排水パイプの一部を破断した側面図である。
【図９】図８のＩＸ−ＩＸ線に沿う断面図である。
【図１０】開閉保護板を示す図である。
【符号の説明】
１　沈降分離槽
２　バキューム車
１０　汚泥
１１　水
１２　油
１３　排出管
２０　貯留槽
２１　濾過清浄装置
２２　吸入管
２３，２４，２５　配管
２８　運転部
２９　空間
５０　給排水パイプ
Ｖ１　切換弁
【図１】
2004141851.tif 000003
【図２】
2004141851.tif 000004
【図３】
2004141851.tif 000005
【図４】
2004141851.tif 000006
【図５】
2004141851.tif 000007
【図６】
2004141851.tif 000008
【図７】
2004141851.tif 000009
【図８】
2004141851.tif 000010
【図９】
2004141851.tif 000011
【図１０】
2004141851.tif 000012